【手続補正書】
【提出日】平成28年8月3日(2016.8.3)
【手続補正１】
【補正対象書類名】明細書
【補正対象項目名】０１８６
【補正方法】変更
【補正の内容】
【０１８６】
本発明の様々な変更及び変更は、本発明の趣旨及び範囲から逸脱することなく、当業者にとって明らかとなり、本発明は本発明において説明される例示的な実施形態に限定されないものと理解されるべきである。閲覧者は、開示される一実施形態の特徴はまた、他に指示がない限り、他の全ての開示される実施形態に応用され得る。本明細書において参照される、米国特許、特許出願公開、並びに他の特許文献及び非特許文献は、これらが先行する開示と矛盾しない限りにおいて、参照として組み込まれる。本発明の実施態様の一部を以下の項目［１］−［２９］に記載する。
[１]
照明器具であって、
対向する主面を有する導光体であって、前記主面の少なくとも一方が、前記導光体からの導波モード光を結合するように適合された回折面フィーチャを内部に有する、導光体と、
前記導光体内に光を入射させるように構成された第１の光源と、
光を非導波モード光として前記導光体を通して投射するように構成された第２の光源と、を含む、照明器具。
[２]
前記導光体が、前記第２の光源により投射された前記光が前記導光体により実質的に偏位されないように、低い光学的歪みを有する、項目１に記載の照明器具。
[３]
前記対向する主面が、第２の主面に対向する第１の主面を含み、前記第２の光源からの前記投射光が、前記第１の主面に入射し、前記第２の主面を出射し、前記回折面フィーチャが、前記第１の主面と比較して前記第２の主面からより多量の導波モード光を結合するように構成されている、項目１に記載の照明器具。
[４]
照明器具であって、
相互接続された複数の支持部材を含む枠組みと、
前記枠組みに取り付けられた複数の導光体であって、前記導光体のそれぞれが対向する主面を有し、各導光体の前記主面の少なくとも一方が、前記導光体からの導波モード光を結合するように適合された回折面フィーチャを内部に有する、導光体と、
前記支持部材上及び／又は前記支持部材内に配置され、前記導光体のすべてに光を入射させるように分配されている複数の光源と、を含む、照明器具。
[５]
前記導光体の少なくともいくつかが、物体がそのような導光体を通して視認され得るように、低い光学的歪みを有する、項目４に記載の照明器具。
[６]
前記導光体の少なくともいくつかが、実質的に同一平面上にある、項目４に記載の照明器具。
[７]
前記導光体のすべてが、実質的に同一平面上にある、項目６に記載の照明器具。
[８]
前記導光体の少なくともいくつかが、弦巻状に配置されている、項目４に記載の照明器具。
[９]
前記導光体の少なくともいくつかが、凹状の形状を集合的に形成する、項目４に記載の照明器具。
[１０]
前記導光体が、閉鎖され及び中空である３次元構造を集合的に形成する、項目４に記載の照明器具。
[１１]
前記導光体の少なくともいくつかについて、前記回折面フィーチャが、出力主面と指定される、前記対向する主面の一方から優先的に、導波モード光を結合する、項目４に記載の照明器具。
[１２]
前記導光体の前記少なくともいくつかについての前記出力主面が、概略同一の方向に向いている、項目１１に記載の照明器具。
[１３]
前記複数の光源が、実質的に異なる第１、第２及び第３の出力色の光源を含み、前記光源が、前記導光体の少なくとも第１のものが、第１の出力色の光源（１つ又は複数）により優位に照らされ、前記導光体の少なくとも第２のものが、第２の出力色の光源（１つ又は複数）により優位に照らされ、前記導光体の少なくとも第３のものが、第３の出力色の光源（１つ又は複数）により優位に照らされるように分配されている、項目４に記載の照明器具。
[１４]
照明器具であって、
複数の導光体であって、前記導光体のそれぞれが対向する主面を有し、各導光体の前記主面の少なくとも一方が、前記導光体からの導波モード光を結合するように適合された回折面フィーチャを内部に有する、導光体と、
前記複数の導光体内に光を入射させるように構成された複数の光源と、を含み、
前記導光体の少なくともいくつかが、弦巻状に配置されている、照明器具。
[１５]
照明器具であって、
複数の導光体であって、前記導光体のそれぞれが対向する主面を有し、各導光体の前記主面の少なくとも一方が、前記導光体からの導波モード光を結合するように適合された回折面フィーチャを内部に有する、導光体と、
前記複数の導光体内に光を入射させるように構成された複数の光源と、を含み、
前記導光体が、凹状の形状を集合的に形成する、照明器具。
[１６]
前記凹状の形状が開放した凹状の形状である、項目１５に記載の照明器具。
[１７]
前記凹状の形状が、開放端を有する管状の形状である、項目１５に記載の照明器具。
[１８]
照明器具であって、
複数の導光体であって、前記導光体のそれぞれが対向する主面を有し、各導光体の前記主面の少なくとも一方が、前記導光体からの導波モード光を結合するように適合された回折面フィーチャを内部に有する、導光体と、
前記複数の導光体内に光を入射させるように構成された複数の光源と、を含み、
前記導光体が、閉鎖され及び中空である３次元構造を集合的に形成する、照明器具。
[１９]
照明器具であって、
管形状の導光体であって、前記導光体が、第１の主面であってその上に回折面フィーチャが形成されている第１の主面を有し、前記回折面フィーチャが、前記導光体からの導波モード光を結合するように適合されている、導光体と、
前記導光体内に光を入射させるように構成された第１の光源と、を含む照明器具。
[２０]
前記管形状の導光体が、中空であり、２つの開放端と、前記開放端の一方に近接した環形状の側部表面とを有する、項目１９に記載の照明器具。
[２１]
前記第１の光源が、前記環形状の側部表面内に光を入射させるように配置されている、項目２０に記載の照明器具。
[２２]
前記管形状の導光体が実質的に円柱形である、項目１９に記載の照明器具。
[２３]
前記管形状の導光体が実質的に円錐形である、項目１９に記載の照明器具。
[２４]
光学装置であって、
対向する主面を有する導光体であって、前記主面の少なくとも一方が、前記導光体からの導波モード光を結合するように適合された回折面フィーチャを内部に有する、導光体と、
いくつかの導波モード光が前記回折面フィーチャの少なくともいくつかに到達することを選択的に遮断するように構成されているパターン化低屈折率表面下層と、を含む、光学装置。
[２５]
前記パターン化低屈折率表面下層が第１及び第２の層部分を含み、前記第１の層部分がナノボイド高分子材料を含む、項目２４に記載の装置。
[２６]
前記第２の層部分が前記ナノボイド高分子材料及び追加の材料を含む、項目２５に記載の装置。
[２７]
前記第２の層部分がナノボイドではないポリマー材料を含む、項目２５に記載の装置。
[２８]
前記パターン化低屈折率表面下層が、いずれもナノボイドではない１つ以上のポリマー材料から構成されている、項目２４に記載の装置。
[２９]
前記導光体に光を入射させるように配置された光源を、更に含む、項目２４に記載の装置。
【手続補正２】
【補正対象書類名】特許請求の範囲
【補正対象項目名】全文
【補正方法】変更
【補正の内容】
【特許請求の範囲】
【請求項１】
照明器具であって、
対向する主面を有する導光体であって、前記主面の少なくとも一方が、前記導光体からの導波モード光を結合するように適合された回折面フィーチャを内部に有する、導光体と、
前記導光体内に光を入射させるように構成された第１の光源と、
光を非導波モード光として前記導光体を通して投射するように構成された第２の光源と、を含む、照明器具。
【請求項２】
照明器具であって、
相互接続された複数の支持部材を含む枠組みと、
前記枠組みに取り付けられた複数の導光体であって、前記導光体のそれぞれが対向する主面を有し、各導光体の前記主面の少なくとも一方が、前記導光体からの導波モード光を結合するように適合された回折面フィーチャを内部に有する、導光体と、
前記支持部材上及び／又は前記支持部材内に配置され、前記導光体のすべてに光を入射させるように分配されている複数の光源と、を含む、照明器具。